(57)【要約】【課題】紙葉類の束を結束するために、バラの紙葉類を集積する集積部から、紙葉類を取り出しやすくする。【解決手段】紙葉類処理装置（紙幣処理機１０）は、バラの紙葉類を集積する集積部４０と、集積部から取り出した紙葉類の束を結束する結束部（帯封部４２１）と、集積部から結束部へ紙葉類の束を運ぶ運搬部（アーム機構４４）と、集積部、結束部及び運搬部を収容する筐体１２と、を備える。集積部の前部には、紙葉類を取り出すための取出部４０４が、筐体の前方に向かって開口しており、筐体を開放しかつ、操作者が取出部を通じて集積部から紙葉類を取り出す作業を行うときに、集積部の前側に作業空間１９０が形成される。【選択図】図５
2018124802.tif 000002
【特許請求の範囲】
【請求項１】
バラの紙葉類を集積する集積部と、
前記集積部から取り出した前記紙葉類の束を結束する結束部と、
前記集積部から前記結束部へ前記紙葉類の束を運ぶ運搬部と、
前記集積部、前記結束部及び前記運搬部を収容する筐体と、を備え、
前記集積部の前部には、前記紙葉類を取り出すための取出部が、前記筐体の前方に向かって開口しており、
前記筐体を開放しかつ、操作者が前記取出部を通じて前記集積部から前記紙葉類を取り出す作業を行うときに、前記集積部の前側に作業空間が形成される紙葉類処理装置。
【請求項２】
前記筐体から前方に引き出される引出ユニットを備え、
前記引出ユニットは、前記集積部を含み、
前記引出ユニットを引き出したときに、前記引出ユニットにおいて、前記集積部の前側に前記作業空間が形成される請求項１に記載の紙葉類処理装置。
【請求項３】
前記運搬部は、前記集積部の前部に近接しかつ、前記取出部を通じて前記集積部から前方に前記紙葉類の束を取り出す近接位置と、前記集積部の前部から離れて前記作業空間を形成する待避位置との間を移動する請求項１又は２に記載の紙葉類処理装置。
【請求項４】
前記集積部は、前記取出部を開閉する扉部材を有し、
前記扉部材は、前記紙葉類を集積するときに前記取出部を閉め、前記集積部から前記紙葉類を取り出すときに前記取出部を開ける請求項１〜３のいずれか１項に記載の紙葉類処理装置。
【請求項５】
前記扉部材は、前記取出部の上側部分を開閉する上側扉部材と、前記取出部の下側部分を開閉する下側扉部材とを有し、
前記運搬部が前記取出部を通じて前記紙葉類の束を前記集積部から取り出すときには、前記下側扉部材が開き、
前記操作者が前記取出部を通じて前記集積部から前記紙葉類を取り出すときには、少なくとも前記上側扉部材が開く請求項４に記載の紙葉類処理装置。
【請求項６】
前記上側扉部材は、垂直軸回りに回動することによって前記取出部の上側部分を開閉すると共に、前記運搬部が前記取出部を通じて前記紙葉類の束を前記集積部から取り出すときには、前記取出部の上側を閉じた状態でロックされかつ、前記操作者が前記取出部を通じて前記集積部から前記紙葉類を取り出すときには、前記上側扉部材のロックが解除され、
前記下側扉部材は、水平軸回りに回動することによって、前記取出部の下側部分を開閉すると共に、前記取出部の下側を閉じる方向に付勢されている請求項５に記載の紙葉類処理装置。
【請求項７】
前記結束部は、前記集積部の前方に配置され、
前記運搬部は、前記取出部を通じて前記集積部から前方に取り出した前記紙葉類の束を、前記筐体の前方に向かって前記結束部まで運搬すると共に、前記結束部において結束された前記紙葉類の束を、前記結束部から前記筐体の前方に向かってさらに運搬する請求項１〜６のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、バラ紙幣の束を結束テープで結束することによって、小束紙幣を作成する紙幣処理装置が記載されている。この紙幣処理装置は、バラ紙幣を整列しながら集積する整列部が、上下方向に二つ重なって設けられている。二つの整列部はそれぞれ、その後部に後方に向かって開口する送出部を有しかつ、集積したバラ紙幣の束を、送出部を通じて、紙幣処理装置の後方に向かって送り出すよう構成されている。整列部の後方には、バラ紙幣の束を上方に搬送する上昇搬送部が設けられている。上昇搬送部は、整列部の上方に配設された結束部に、バラ紙幣の束を搬送する。
【先行技術文献】
【特許文献】
【０００３】
【特許文献１】特開２０１４−８１６７８号公報
【発明の概要】
【発明が解決しようとする課題】
【０００４】
特許文献１に記載されているような紙幣処理装置においては、整列部に集積したバラ紙幣の枚数が所定の結束枚数に達しないまま、紙幣の結束処理が終わる場合がある。その場合、操作者は、整列部に集積されているバラ紙幣（つまり、端数紙幣）を、手で取り出す。具体的に、特許文献１に記載されている紙幣処理装置では、操作者は、中間ユニットを装置の筐体から前方に引き出して、筐体の内部を開放した上で、送出部を通じて整列部から端数紙幣を取り出すことになる。
【０００５】
ここで、特許文献１に記載されている紙幣処理装置は、端数紙幣を、整列部の後側から後方に向かって取り出すように構成されている。操作者は、端数紙幣を整列部から取り出しにくい。また、整列部の送出部が、整列部の後部において後方に向かって開口しているため、操作者は、送出部を目視することができず、このことによっても、操作者は、整列部から端数紙幣を取り出しにくくなる。
【０００６】
また、整列部から端数紙幣を取り出すことに限らず、整列部付近において紙幣のジャム等が発生したときにも、整列部から紙幣を取り出さなければならないが、この場合も前記と同様に、紙幣を整列部から取り出しにくい。
【０００７】
尚、送出部以外の箇所から端数紙幣を取り出し可能になるよう、整列部を構成することも考えられるが、そうすると、整列部の構成が複雑になってしまうという新たな問題が生じる。
【０００８】
ここに開示する技術はかかる点に鑑みてなされたものであり、その目的とするところは、紙葉類の束を結束するためにバラの紙葉類を集積する集積部から、紙葉類を取り出しやすくすることにある。
【課題を解決するための手段】
【０００９】
具体的に、ここに開示する技術は紙葉類処理装置に係る。この紙葉類処理装置は、バラの紙葉類を集積する集積部と、前記集積部から取り出した前記紙葉類の束を結束する結束部と、前記集積部から前記結束部へ前記紙葉類の束を運ぶ運搬部と、前記集積部、前記結束部及び前記運搬部を収容する筐体と、を備える。
【００１０】
そして、前記集積部の前部には、前記紙葉類を取り出すための取出部が、前記筐体の前方に向かって開口しており、前記筐体を開放しかつ、操作者が前記取出部を通じて前記集積部から前記紙葉類を取り出す作業を行うときに、前記集積部の前側に作業空間が形成される。
【００１１】
この構成によると、紙葉類処理装置は、集積部が集積をしかつ集積部から取り出した紙葉類の束を、運搬部が結束部に運搬し、結束部が紙葉類の束を結束する。
【００１２】
集積部は、紙葉類を取り出すための取出部が、集積部の前部において、装置の筐体の前方に向かって開口している。操作者が、例えば集積部の端数紙幣を手で取り出すときに、集積部の取出部を目視することができる。
【００１３】
また、操作者が取出部を通じて集積部から紙葉類を取り出す作業を行うときに、集積部の前側に作業空間が形成される。操作者は、作業空間に手を入れて、取出部を通じて集積部から、紙葉類を取り出すことができる。
【００１４】
取出部を目視することができることと、作業空間を利用して紙葉類を取り出すことができることとが組み合わさることにより、集積部から紙葉類を取り出す作業の作業性が、向上する。
【００１５】
前記紙葉類処理装置は、前記筐体から前方に引き出される引出ユニットを備え、前記引出ユニットは、前記集積部を含み、前記引出ユニットを引き出したときに、前記引出ユニットにおいて、前記集積部の前側に前記作業空間が形成される、としてもよい。
【００１６】
この構成によると、紙葉類処理装置が紙葉類の処理を行っている最中には、集積部の前側の空間を、例えば当該処理の遂行のために利用をすることができる。一方、集積部から紙葉類を取り出すために引出ユニットを筐体から引き出したときには、集積部の前側の空間を作業空間として確保することができる。その結果、操作者の作業性が向上する。必要な時のみ、作業空間を形成することによって、紙葉類処理装置の小型化を図ることができる。
【００１７】
また、引出ユニットを筐体から引き出す方向と、取出部が開口する方向及び集積部から紙葉類を取り出す方向が一致するから、操作者は、より一層、紙葉類を取り出しやすくなる。
【００１８】
前記運搬部は、前記集積部の前部に近接しかつ、前記取出部を通じて前記集積部から前方に前記紙葉類の束を取り出す近接位置と、前記集積部の前部から離れて前記作業空間を形成する待避位置との間を移動する、としてもよい。
【００１９】
こうすることで、運搬部は、紙葉類処理装置が紙葉類の処理を行っている最中には、近接位置の辺りに位置することによって、集積部から紙葉類の束を取り出すことができると共に、取り出した紙葉類を運搬することができる。一方、運搬部は、引出ユニットを筐体から引き出したときには、待避位置に位置する。このことによって、集積部の前側に作業空間を形成することができる。
【００２０】
前記集積部は、前記取出部を開閉する扉部材を有し、前記扉部材は、前記紙葉類を集積するときに前記取出部を閉め、前記集積部から前記紙葉類を取り出すときに前記取出部を開ける、としてもよい。
【００２１】
こうすることで、集積部において紙葉類を集積するときには、扉部材が取出部を閉めることによって、取出部を通じてバラの紙葉類が落下してしまうことを確実に防止することができる。紙葉類が、安定して集積する。一方、集積部から紙葉類を取り出すときには、扉部材が取出部を開けることによって、取出部を通じて集積部から紙葉類を取り出すことができる。
【００２２】
前記扉部材は、前記取出部の上側部分を開閉する上側扉部材と、前記取出部の下側部分を開閉する下側扉部材とを有し、前記運搬部が前記取出部を通じて前記紙葉類の束を前記集積部から取り出すときには、前記下側扉部材が開き、前記操作者が前記取出部を通じて前記集積部から前記紙葉類を取り出すときには、少なくとも前記上側扉部材が開く、としてもよい。
【００２３】
この構成により、紙葉類処理装置が紙葉類の処理を行っている最中に、運搬部が取出部を通じて紙葉類の束を前記集積部から取り出すときには、下側扉部材のみが開く。取出部の一部のみが開放されるため、紙葉類の落下やジャムが発生してしまうことを抑制することができる。
【００２４】
一方、操作者が取出部を通じて集積部から紙葉類を取り出すときには、上側扉部材、又は、上側扉部材及び下側扉部材の両方が開く。取出部の全体を開放することができるため、操作者は、集積部から紙葉類を手で取り出しやすくなる。
【００２５】
前記上側扉部材は、垂直軸回りに回動することによって前記取出部の上側部分を開閉すると共に、前記運搬部が前記取出部を通じて前記紙葉類の束を前記集積部から取り出すときには、前記取出部の上側を閉じた状態でロックされかつ、前記操作者が前記取出部を通じて前記集積部から前記紙葉類を取り出すときには、前記上側扉部材のロックが解除され、前記下側扉部材は、水平軸回りに回動することによって、前記取出部の下側部分を開閉すると共に、前記取出部の下側を閉じる方向に付勢されている、としてもよい。
【００２６】
こうすることで、上側扉部材は、紙葉類処理装置が紙葉類の処理を行っている最中にはロックされるため、取出部の上側部分は閉じた状態に保持される。一方、操作者が取出部を通じて集積部から紙葉類を取り出すときには、上側扉部材のロックが解除されるため、取出部の上側部分を開けることができる。
【００２７】
また、引出ユニットを前方に引き出したときに、操作者は、引出ユニットの側方に立って、集積部の紙葉類を取出部を通じて取り出す。上側扉部材が垂直軸回りに回動すると、取出部の上側部分を、引出ユニットの側方に立った操作者の方に向かって開放することができる。紙葉類を取り出す際に上側扉部材が邪魔にならないから、操作者は、紙葉類を取り出しやすくなる。
【００２８】
下側扉部材は、取出部の下側部分を閉じる方向に付勢されているため、集積部において紙葉類を集積しているときには、取出部の下側部分を閉じた状態にする。下側扉部材と紙葉類の端とが当たることによって、紙葉類の端を揃えた状態で集積することができる。また、運搬部が紙葉類を集積部から取り出すときには、紙葉類を下側扉部材に当てて、下側扉部材を付勢力に逆らって回動することにより、取出部の下側部分が開いて、紙葉類を集積部から取り出すことができる。また、操作者が取出部を通じて集積部から紙葉類を取り出すときにも、付勢力に逆らって下側扉部材を回動することにより、取出部の下側部分を開けることができる。操作者は、集積部から紙葉類を取り出しやすくなる。
【００２９】
前記結束部は、前記集積部の前方に配置され、前記運搬部は、前記取出部を通じて前記集積部から前方に取り出した前記紙葉類の束を、前記筐体の前方に向かって前記結束部まで運搬すると共に、前記結束部において結束された前記紙葉類の束を、前記結束部から前記筐体の前方に向かってさらに運搬する、としてもよい。
【００３０】
こうすることで、集積した紙葉類の束の移動の方向、及び、結束した紙葉類の移動の方向が共に、後方から前方に向かう方向に揃う。これにより、紙葉類の移動量が最小となり、処理時間が短縮する。また、紙葉類処理装置の小型化に有利になる。さらに、紙葉類の移動経路が交差しないため、結束部を挟んだ後側において、集積した紙葉類の束を運搬することと、結束部を挟んだ前側において、結束した紙葉類を移動することとを同時に行うことが可能になり、紙葉類処理装置の処理をスムースに行うことができる。加えて、操作者が集積部から紙葉類を手で取り出すときの方向も前方に向かう方向であるため、紙葉類の取り出し作業が容易になる。
【発明の効果】
【００３１】
以上説明したように、前記の紙葉類処理装置によると、バラの紙葉類を集積する集積部から、紙葉類を取り出しやすくなる。
【図面の簡単な説明】
【００３２】
【図１】図１は、紙幣処理機の外観を例示する斜視図である。
【図２】図２は、紙幣処理機の中間ユニットを前方に引き出した状態を例示する図１対応図である。
【図３】図３は、紙幣処理機の内部構成を例示する図である。
【図４】図４は、貨幣処理装置の構成例を示すブロック図である。
【図５】図５の上図は、引出ユニットにおいてアーム機構が近接位置に位置している状態を示す側面図、図５の下図は、アーム機構が待避位置に位置している状態を示す側面図である。
【図６】図６の上図は、引出ユニットにおいてアーム機構が近接位置に位置している状態を示す平面図、図６の下図は、アーム機構が待避位置に位置している状態を示す平面図である。
【図７】図７は、集積部の内部機構を例示する斜視図である。
【図８】図８は、集積部の上側扉部材のロックを解除した状態を示す斜視図である。
【図９】図９は、帯封ユニットの概略構成を例示する側面図である。
【図１０】図１０は、帯封ユニットのテープリール部を例示する平面図である。
【図１１】図１１は、紙幣整理機の外観を例示する斜視図である。
【図１２】図１２は、紙幣整理機の内部構成を例示する図である。
【発明を実施するための形態】
【００３３】
以下、紙葉類処理装置の実施形態を図面に基づいて詳細に説明する。以下の説明は、紙葉類処理装置の一例である。図１は、紙葉類処理装置としての紙幣処理機１０の全体構成例を示している。紙幣処理機１０は、貨幣処理装置１の一部を構成する（図４参照）。貨幣処理装置１は、例えば銀行等の金融機関の出納機として設定されている。尚、貨幣処理装置１は、金融機関の出納機として設定されることには限定されない。
【００３４】
（紙幣処理機の構成）
図１は紙幣処理機１０の外観を示している。紙幣処理機１０は、バラ紙幣の入出金処理を実行可能である。また、紙幣処理機１０は、帯封紙幣（紙幣束ともいう）の作成や、帯封紙幣の出金処理を実行可能である。帯封紙幣は、所定枚数（例えば１００枚）のバラ紙幣から作成される。
【００３５】
図２は、引出ユニットとしての中間ユニット１９（詳細は後述する）を、紙幣処理機１０の筐体１２から前方に引き出した状態を示している。図３は紙幣処理機１０の内部構成を概略的に示す構成図である。図３において、左側が紙幣処理機１０の前面側であり、左右方向が紙幣処理機１０の奥行き方向である。図１〜図３を用いて、紙幣処理機１０の構成について説明する。尚、以下の説明では、説明の便宜上、図１における紙面左手前を前、紙面右奥を後、紙面右手前を右、紙面左奥を左と呼ぶ。
【００３６】
紙幣処理機１０は略直方体形状の筐体１２を有しており、この筐体１２の前面には、バラ紙幣を入金するための投入部１４、バラ紙幣を出金するためのバラ紙幣投出部２４、及び、帯封紙幣を出金するための帯封紙幣投出部４８がそれぞれ設けられている。投入部１４の前面は筐体１２の外部に開口しており、操作者は投入部１４の内部にバラ紙幣の束を投入することができる。一方、バラ紙幣投出部２４及び帯封紙幣投出部４８にはそれぞれシャッター２４ａ，４８ａが設けられている。シャッター２４ａ，４８ａは後述するシャッター駆動部２４ｂ，４８ｂによりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００３７】
また、バラ紙幣投出部２４の下方には、バラ紙幣の出金処理において、バラ紙幣投出部２４から出金すべきではないと判断されたバラ紙幣が集積される出金リジェクト部２６が設けられている。出金リジェクト部２６の前カバーは、通常、閉鎖されており、出金リジェクト部２６の内部にアクセスすることができない。所定の権限を有する操作者が操作をすることによって前カバーが開放され、出金リジェクト部２６の内部のリジェクト紙幣を回収することが可能になる。
【００３８】
図３に示すように、投入部１４には、投入されたバラ紙幣を一枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【００３９】
搬送部１８には、入金一時保留部３０、混合バラ紙幣収納部３２及び複数（図３では３つ）の金種別バラ紙幣収納部３４がそれぞれ接続されている。入金一時保留部３０、混合バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００４０】
入金一時保留部３０の上端部の近傍には紙幣繰出部３０ｂが設けられており、バラ紙幣は紙幣繰出部３０ｂにより、入金一時保留部３０から一枚ずつ搬送部１８に繰り出され、また、搬送部１８から入金一時保留部３０に一枚ずつ繰り入れられる。混合バラ紙幣収納部３２の上端部の近傍には紙幣繰入部３２ｂが設けられており、バラ紙幣は紙幣繰入部３２ｂにより、搬送部１８から混合バラ紙幣収納部３２に一枚ずつ繰り入れられる。なお、本実施形態では、混合バラ紙幣収納部３２に収納されているバラ紙幣は搬送部１８に繰り出せない。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から一枚ずつ搬送部１８に繰り出され、また、搬送部１８から各金種別バラ紙幣収納部３４に一枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。
【００４１】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２及び各金種別バラ紙幣収納部３４は、筐体１２から前方に（図３における左方向に）引き出し可能となっている下部ユニット１３に収容されている。操作者は、下部扉１２ａごと下部ユニット１３を前方に引き出し、混合バラ紙幣収納部３２や各金種別バラ紙幣収納部３４を下部ユニット１３から取り外したり、下部ユニット１３に装着したりできる。
【００４２】
また、搬送部１８には複数（図２では二つ）の集積部４０が接続されている。搬送部１８から送られたバラ紙幣は、集積部４０に積層状態で集積される。また、所定枚数（例えば１００枚）のバラ紙幣からなる紙幣束に帯封紙を巻くことにより帯封紙幣を作成する帯封ユニット４２が、集積部４０の前方に設けられている。帯封ユニット４２は、結束部の一例である。
【００４３】
帯封ユニット４２の近傍にはアーム機構４４が設けられている。アーム機構４４は、集積部４０、及び、帯封ユニット４２の間で移動可能となっている。アーム機構４４は、バラ紙幣の束、又は、帯封紙幣を、集積部４０と、帯封ユニット４２との間で運搬する。アーム機構４４は、運搬部の一例である。
【００４４】
帯封ユニット４２の前側には帯封紙幣揚送部４６が設けられている。帯封紙幣揚送部４６には、図３における上下方向に移動可能となっているステージ４６ａが設けられている。帯封紙幣揚送部４６は、帯封紙幣を帯封紙幣投出部４８又は帯封紙幣搬送部６０へ運搬する。
【００４５】
１または複数の帯封紙幣が載ったステージ４６ａが上方向に移動して帯封紙幣投出部４８の下端と同じレベルに達し（図３の実線の矢印参照）、この状態でシャッター４８ａが開くと、操作者は帯封紙幣投出部４８の内部にアクセスしてステージ４６ａ上に集積されている帯封紙幣を取り出すことができる（図３の破線の矢印参照）。また、ステージ４６ａがさらに上昇すると、ステージ４６ａ上に集積されている帯封紙幣を帯封紙幣搬送部６０に受け渡すことができると共に、帯封紙幣搬送部６０によって搬送されてきた帯封紙幣をステージ４６ａ上に集積させることができる。
【００４６】
筐体１２の内部における上部領域には、複数（図３では四つ）の帯封紙幣収納部７０が設けられている。各帯封紙幣収納部７０の内部にはそれぞれ、上下方向に移動可能であるステージ７０ａが設けられている。帯封ユニット４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも一つは、金種が異なる帯封紙幣を混合状態で収納するようにしてもよい。
【００４７】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向及び反時計回りの方向の両方向に循環移動が可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図３の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００４８】
ここで、帯封ユニット４２により作成された帯封紙幣を各帯封紙幣収納部７０に収納させる際には、帯封紙幣は、アーム機構４４から帯封紙幣揚送部４６のステージ４６ａ上に受け渡された後に、ステージ４６ａの上昇によって帯封紙幣搬送部６０の近傍の位置まで達する。循環ベルト６０ｂは反時計回りの方向に循環移動する。これにより、ステージ４６ａ上の最上位の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【００４９】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、ステージ４６ａが上昇して帯封紙幣搬送部６０の近傍の位置まで達する。そして、搬送される帯封紙幣は、その金種が識別部６２により識別された後、上方位置で待機していたステージ４６ａ上、又は、ステージ４６ａ上に集積済みの帯封紙幣の上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定数の帯封紙幣が集積されると、当該ステージ４６ａが帯封紙幣投出部４８の下端と同じレベルまで下降し、シャッター４８ａが開く。これにより、操作者は帯封紙幣投出部４８から帯封紙幣を取り出すことができる。
【００５０】
前述した投入部１４、バラ紙幣投出部２４、出金リジェクト部２６、搬送部１８、識別部２０、表裏反転部２２、二つの集積部４０、帯封ユニット４２、アーム機構４４、及び帯封紙幣揚送部４６の一部は、中間ユニット１９を構成している。中間ユニット１９は、図２に示すように、筐体１２から前方に引き出し可能に構成されている。例えば紙幣のジャム等が発生したときに、操作者は、中間ユニット１９を前方に引き出すことによって中間ユニット１９に含まれる各部にアクセスすることができ、ジャム紙幣を取り出すことができる。また、詳細は後述するが、集積部４０から端数紙幣（つまり、帯封処理が終了したときに、集積部４０に残っている紙幣）を取り出すときにも、操作者は、中間ユニット１９を筐体１２から前方に引き出す。さらに、詳細は後述するが、帯封紙がリールに巻き付けられた帯封紙リール４５１を交換するときにも、操作者は、中間ユニット１９を筐体１２から前方に引き出す。
【００５１】
（貨幣処理装置の構成）
図４は貨幣処理装置１の機能構成の概略を示すブロック図である。図４に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出部３４ｂ）、帯封ユニット４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００５２】
また、制御部３００には、硬貨処理機１１０の各構成要素が接続されており、硬貨処理機１１０の動作を制御する。硬貨処理機１１０は、バラ硬貨の入出金処理を実行可能である。硬貨処理機１１０はまた、包装硬貨の作成や、包装硬貨の出金処理を実行可能である。包装硬貨は、所定枚数（例えば５０枚）のバラ硬貨に紙やフィルム等の包装媒体を巻くことによって作成される。
【００５３】
さらに、制御部３００には、操作表示部３０２、印字部３０４、記憶部３１０及び通信インターフェース部３０６がそれぞれ接続されている。
【００５４】
操作表示部３０２は、例えばタッチパネル等からなる。操作表示部３０２は、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。
【００５５】
印字部３０４は、貨幣処理装置１における紙幣や硬貨の処理状況や、貨幣処理装置１に収納されている紙幣や硬貨の在高等の情報をレシート等に印刷するプリンタ等から構成されている。
【００５６】
記憶部３１０は、貨幣処理装置１における処理履歴や、貨幣処理装置１に収納されている紙幣や硬貨の在高等の情報を記憶する。
【００５７】
また、制御部３００は、通信インターフェース部３０６を介して、上位端末である管理コンピュータ（図示省略）に対して様々な信号の送受信を行うことができる。
【００５８】
（中間ユニットの詳細構成）
前述したように、中間ユニット１９は、投入部１４、バラ紙幣投出部２４、出金リジェクト部２６、搬送部１８、識別部２０、表裏反転部２２、二つの集積部４０、帯封ユニット４２、アーム機構４４、及び帯封紙幣揚送部４６の一部を含んでいる。図５及び図６は、中間ユニット１９における、集積部４０、帯封ユニット４２、アーム機構４４、及び帯封紙幣揚送部４６の配置構成を示している。以下、集積部４０、アーム機構４４及び帯封ユニット４２の構成の詳細を順に説明する。
【００５９】
（集積部の構成）
この紙幣処理機１０において集積部４０は、前述の通り、二つ備えられている。二つの集積部４０は、上下方向に並んで配設されている。搬送部１８は、集積部４０の後方から各集積部４０にバラ紙幣を送る（図３の矢印も参照）。集積部４０は、バラ紙幣を積層状態で集積する。集積部４０の前部には、取出部４０４が設けられている。取出部４０４は、前方に向かって開口している。集積部４０に集積した紙幣は、取出部４０４を通じて、前方に向かって取り出される。
【００６０】
図７は、集積部４０の内部の構成を例示している。集積部４０は、紙幣が載置されるステージ４０１と、紙幣を集積部４０内へ搬入する羽根車４０２と、集積された紙幣の端部を揃える整列機構４０３（図７のみに図示）と、取出部４０４を開閉する扉部材４３と、を有している。
【００６１】
ステージ４０１は、集積部４０の内部において水平方向に広がるよう構成されている。ステージ４０１の上にバラ紙幣が積み重なる。ステージ４０１には、左右方向に並んだ二本の凹溝４０１１が、ステージ４０１の前端から後方に向かって伸びるように形成されている。後述するアーム機構４４のアーム部４４１は、各凹溝４０１１内に進入することによって、ステージ４０１の上に載置されているバラ紙幣の束を掴むことができる。
【００６２】
羽根車４０２は、集積部４０の後部において、左右方向に並んで複数（図７の例では四つ）、配設されている。各羽根車４０２は、可撓性を有する複数の羽を有しかつ、左右方向に伸びる軸を中心として回転する。羽根車４０２は、ステージ４０１の上に落下する紙幣の、搬送方向後側の端部を叩いて、紙幣の落下を促進させる役割を有している。紙幣が集積部４０内に連続的に搬入される場合であっても、後の紙幣が先の紙幣の後端部に入り込むことを防止し、紙幣を一枚ずつ順に上方に積み重ねていくことができる。
【００６３】
整列機構４０３は、集積部４０の内部における右側に配設されている。整列機構４０３は、紙幣の搬送方向（つまり、前後方向）及び紙幣の集積方向（つまり、上下方向）の両方に直交する左右方向の紙幣の端部を揃える。本実施形態では、紙幣が長手の縁を先頭にして搬送されるので、整列機構４０３は、紙幣の短手の端を揃える。整列機構４０３は、詳細な図示は省略するが、上下方向に延びる回転軸回りに回転自在に設けられたアーム４０３１と、アーム４０３１を回転させるステッピングモータ４０３２とを有している。集積部４０の内部における左側には、紙幣の反対側の短手の端に当たるストッパ４０３３が配設されている。整列機構４０３は、集積部４０内に集積された紙幣の右端を左に向けてアーム４０３１により押圧することによって紙幣の左端をストッパ４０３３に当接させる。こうすることによって、集積部４０内の紙幣は、ストッパ４０３３に当接した状態に整列させられる。
【００６４】
扉部材４３は、取出部４０４の上側部分を開閉する上側扉部材４３１と、取出部４０４の下側部分を開閉する下側扉部材４３２とを有している。
【００６５】
下側扉部材４３２は、水平方向に伸びる軸Ｘを中心に回動する回転軸４３２１を備えている。左右方向に伸びる回転軸４３２１には、左右方向に所定の間隔を空けて、三つの規制片４３２２が取り付けられている。回転軸４３２１が回動することに伴い、三つの規制片４３２２は、起立して垂直方向に伸びることにより取出部４０４の下側部分を閉じる状態（図７に示す状態）と、図示は省略するが、倒伏して水平（前）方向に伸びることにより取出部４０４の下側部分を開ける状態と、に切り替わる（図７の矢印参照）。
【００６６】
回転軸４３２１は、図示を省略する付勢部材によって、規制片４３２２が取出部４０４を閉じる方向に付勢されている。従って、下側扉部材４３２は、通常時には、取出部４０４の下側部分を閉じている。集積部４０に紙幣を集積している最中に、集積部４０の後方から集積部４０内に搬入される紙幣の前端は、下側扉部材４３２の規制片４３２２に当たるようになる。下側扉部材４３２は、集積部４０において集積される紙幣の前端を揃える機能を有している。
【００６７】
一方、後述するように、アーム機構４４が、ステージ４０１の上に集積されている紙幣を取り出すときには、下側扉部材４３２は、前方に移動する紙幣の束に押されることにより、付勢力に逆らって取出部４０４を開ける方向に回動する。こうして下側扉部材４３２は、紙幣が集積部４０から取り出されることを許容する。
【００６８】
上側扉部材４３１は、取出部４０４の上側部分を閉じるように、左右方向に広がっている。上側扉部材４３１には、下向きに伸びる規制片が、左右方向に間隔を空けて複数、設けられている。上側扉部材４３１は、略くし歯状に構成されている。
【００６９】
上側扉部材４３１は、その左端部が、垂直方向に伸びる軸Ｚに対して回動するよう、枢支されている。上側扉部材４３１は、図７に矢印で示すように、垂直方向に伸びる軸Ｚを中心に回動することによって、取出部４０４の上側部分を開閉する。
【００７０】
上側扉部材４３１の右端部には、ロック機構４３１１が配設されている。ロック機構４３１１は、上側扉部材４３１を、取出部４０４を閉じた状態でロックするよう構成されていると共に、上側扉部材４３１が回動可能となるように、ロックを解除するよう構成されている。ロック機構４３１１は、詳細な図示は省略するが、制御部３００の制御信号に従って、ロック状態からアンロック状態に切り替わるよう構成されている。
【００７１】
上側扉部材４３１は、中間ユニット１９が筐体１２内に納められている時には、集積部４０の取出部４０４の上側部分を閉じた状態でロックされている。集積部４０の後方から集積部４０内に搬入される紙幣は、上側扉部材４３１に当たるようになる。上側扉部材４３１は、集積部４０から紙幣が落下することを防止する機能を有している。
【００７２】
また、アーム機構４４が紙幣を取り出すときにも、上側扉部材４３１は、ロック機構４３１１によってロックされている。アーム機構４４がステージ４０１上の紙幣を取り出すときには、取出部４０４の一部のみが開放されるため、紙幣の落下やジャムが発生してしまうことを抑制することができる。
【００７３】
一方、後述するように、集積部４０から端数紙幣を外部へ取り出す等の理由により、中間ユニット１９を筐体１２から前方に引き出すときには、上側扉部材４３１のロックが解除される。上側扉部材４３１の枢支部には、付勢部材が取り付けられており、上側扉部材４３１は、ロックを解除すると、付勢部材の付勢力によって、図８に示すように、所定の回動角度θ１だけ回動をするよう構成されている。
【００７４】
上側扉部材４３１の最大回動角度θ２はさらに大に設定されている。図８に示すように、操作者は手動で、上側扉部材４３１を、最大回動角度θ２まで回動させることができる。取出部４０４をさらに大きく開放することができるため、後述するように、操作者は、容易に、集積部４０から紙幣を取り出すことができる。
【００７５】
（アーム機構の構成）
アーム機構４４は、図５及び図６に示すように、集積部４０の前側における右側に配設されている。アーム機構４４は、図５の上図及び図６の上図に示すように、集積部４０の前部に近接した近接位置と、図５の下図及び図６の下図に示すように、集積部４０の前部から離れた待避位置との間で、前後方向に往復移動が可能に構成されている。アーム機構４４は、紙幣の束を掴むアーム部４４１を有している。アーム部４４１は、上下方向に往復移動が可能に構成されている。アーム機構４４は、近接位置に位置した状態で、アーム部が上下方向に移動をすることによって、取出部４０４を通じて、上側の集積部４０又は下側の集積部４０に集積された紙幣の束を掴むと共に、その状態で前方に移動をすることによって、上側の集積部４０又は下側の集積部４０から、紙幣の束を、取出部４０４を通じて前方に取り出すことができる。
【００７６】
アーム機構４４のアーム部４４１は、図６に示すように、集積部４０に集積されている紙幣の右端部の付近に配設されている。アーム部４４１は、紙幣の右端部を把持する。集積部４０と帯封ユニット４２との間には、紙幣の左端部を支持する束ガイド４４２が配設されている。束ガイド４４２は、略コの字状を有する部材によって構成されている。束ガイド４４２は、紙幣の束の左端部を支持する。束ガイド４４２は、図５に示すように、上下方向に伸びるレール４４３に沿って往復移動が可能に構成されている。アーム機構４４のアーム部４４１と束ガイド４４２とが同じ高さに位置しかつ、アーム部４４１と束ガイド４４２とがそれぞれ、紙幣の端部を支持することによって、紙幣の束は、集積部４０から帯封ユニット４２へ、水平状態を保ちながら安定的に運搬される。
【００７７】
後述する帯封ユニットの帯封部４２１は、アーム機構４４のアーム部４４１が紙幣の束を掴んだ状態で、当該紙幣の束の外周面に帯封紙を巻いて帯封を行う。アーム機構４４は、アーム部４４１が帯封処理後の帯封紙幣Ｂを掴んだままで、さらに前方へと移動をし、後述する第２運搬部４２３に、帯封紙幣Ｂを受け渡す。
【００７８】
（帯封ユニットの構成）
帯封ユニット４２は、図５及び図６に示すように、集積部４０の前側における左側に配設されている。帯封ユニット４２は、図９に示すように、バラ紙幣の束の外周囲に帯封紙を巻き付けて帯封する帯封部４２１と、帯封部４２１に帯封紙を供給する供給部４２２と、帯封紙幣を運搬する第２運搬部４２３と、を備えている。帯封部４２１と供給部４２２と第２運搬部４２３とがまとまって、一つのユニットを構成している。
【００７９】
供給部４２２は、帯封紙リール４５１がセットされるリールセット部４５と、帯封紙リール４５１から引き出された帯封紙を帯封部４２１まで搬送する帯封紙搬送部４２２１とを備えている。
【００８０】
リールセット部４５は、帯封ユニット４２の最上部に位置している。帯封紙リール４５１は、リール軸が上下方向となるようにリールセット部４５にセットされる。中間ユニット１９を筐体１２から前方に引き出したときに、帯封紙リール４５１は、図２に示すように、中間ユニット１９の最上部において上向きに露出する。そのため、操作者は、帯封紙リール４５１を、容易に交換することができる。
【００８１】
図１０に示すように、リールセット部４５は、帯封紙リール４５１から水平方向に引き出された帯封紙の搬送方向を下向きに変換する変換部４５２を有している。変換部４５２において搬送方向を下向きに変換された帯封紙は、帯封紙搬送部４２２１に送られる。
【００８２】
リールセット部４５にはまた、帯封紙リール４５１から引き出された帯封紙を押さえるガイド部４５３を有している。ガイド部４５３は、図１０に矢印で示すように、上下方向に伸びる軸を中心に回動する。ガイド部４５３は、リールセット部４５に帯封紙リール４５１をセットするときには、図１０に一点鎖線で示すように、帯封紙リール４５１から離れた位置に位置づけられる（つまり、セット位置）。帯封紙リール４５１をリールセット部４５にセットし、引き出した帯封紙が、変換部４５２を通って帯封紙搬送部４２２１に送られるときには、ガイド部４５３は、帯封紙リール４５１に近づいた位置に位置づけられる（つまり、ガイド位置）。ガイド部４５３は、図示は省略するが、付勢部材によって、ガイド位置からセット位置へと向かう方向（つまり、図１０における時計回り方向）に付勢されている。
【００８３】
ガイド部４５３には、図９及び図１０に示すように、上向きに突出する係止片４５４が設けられている。係止片４５４は、中間ユニット１９を筐体１２の中に収納したときには、筐体１２に固定されている係止部１２１に当たるよう構成されている。係止片４５４が係止部１２１に当たると、ガイド部４５３は、付勢部材の付勢力に逆らって、図１０における反時計回り方向に回動することにより、ガイド位置に位置づけられる。こうして、中間ユニット１９を筐体１２の中に収納しているときには、ガイド部４５３は、ガイド位置に位置することにより、帯封紙を案内する。一方、中間ユニット１９を筐体１２から前方に引き出すと、係止片４５４が係止部１２１から離れることによって、ガイド部４５３は付勢部材の付勢力によって、図１０における時計回り方向に回動し、ガイド部４５３は、自動的にセット位置に位置する。帯封紙リール４５１を交換するときには、ガイド部４５３はセット位置に位置しているから、操作者は、帯封紙リール４５１を交換しやすくなる。帯封紙リール４５１を交換し、引き出していた中間ユニット１９を、筐体１２内に押し込むと、係止片４５４が係止部１２１に当たってガイド部４５３が回動し、ガイド部４５３は、再び、ガイド位置に位置する。
【００８４】
帯封紙搬送部４２２１は、図９に示すように、帯封ユニット４２の上端部の前側から、帯封ユニット４２の下部の後側まで、途中に前後方向に伸びる水平部分を介して伸びている。帯封紙搬送部４２２１は、帯封紙を案内するガイド、及び、帯封紙を送る複数のローラによって構成されている。帯封部４２１は、帯封ユニット４２の下端部の後側に配設されている。
【００８５】
帯封部４２１の詳細な構成の説明は省略するが、帯封部４２１は、様々な公知の構成を採用することができる。
【００８６】
第２運搬部４２３は、帯封部４２１の前側に設けられている。第２運搬部４２３は、帯封部４２１が帯封をした帯封紙幣Ｂを、アーム機構４４のアーム部４４１から受け取ると共に、前方に向かって搬送して帯封紙幣揚送部４６に送り込むよう構成されている。第２運搬部４２３は、帯封紙幣Ｂを上下に挟み込んだ状態で、帯封紙幣Ｂを前方に移動させるよう構成されている。第２運搬部４２３は、図５に概略的に示すように、下側運搬部４２３１と上側運搬部４２３２とを有している。下側運搬部４２３１は、前後方向に伸びると共に、帯封紙幣Ｂの下側を支持する。上側運搬部４２３２は、前端部が枢支されて、下側運搬部に対して離接するよう回動する。第２運搬部４２３は、上側運搬部４２３２が下側運搬部４２３１から離れた状態で、アーム部４４１から帯封紙幣Ｂを受け取る。第２運搬部４２３は、アーム部４４１から受け取った帯封紙幣Ｂを上側運搬部４２３２と下側運搬部４２３１とによって上下方向に挟み込み、その状態で、帯封紙幣Ｂを前方に運ぶ。
【００８７】
帯封ユニット４２は、リールセット部４５と、帯封紙搬送部４２２１と、帯封部４２１とをまとめた一つのユニットによって構成されている。このため、帯封紙リール４５１から帯封部４２１までの間に帯封紙の経路の途中につなぎ目がなくなる。その結果、帯封紙のジャム等のエラーが発生することを抑制することができる。
【００８８】
（帯封処理の手順）
紙幣処理機１０が帯封処理を行うときに帯封紙幣の対象となる紙幣は、図３に実線の矢印で示すように、いずれかの金種別バラ紙幣収納部３４から繰り出されたバラ紙幣、又は、図３に一点鎖線の矢印で示すように、投入部１４に投入されかつ、繰出部１６により投入部１４から繰り出されたバラ紙幣である。搬送部１８は、二つの集積部４０の一方に送る。一方の集積部４０に集積された紙幣が所定枚数（通常は１００枚）に達すれば、アーム機構４４は、集積部４０から紙幣を取り出して帯封ユニット４２に運搬する。このときに、搬送部１８は、他方の集積部４０に紙幣を送り、他方に集積部４０において紙幣の集積が行われる。二つの集積部４０に交互に紙幣が集積されると共に、二つの集積部４０から交互に紙幣が取り出されて帯封が行われるから、帯封処理に要する時間を短縮することができる。
【００８９】
アーム機構４４は、集積部４０に集積された所定枚数のバラ紙幣を上下一対のアーム部４４１（図５及び図６参照）により保持して、帯封ユニット４２に移動する（図３の実線の矢印参照）。帯封ユニット４２において、アーム機構４４に保持された所定枚数のバラ紙幣の外周面に帯封紙が巻かれる。帯封処理が行われた後、アーム機構４４は、帯封紙幣を第２運搬部４２３に受け渡す。第２運搬部４２３は、帯封紙幣揚送部４６のステージ４６ａ上に送る（図３の実線の矢印参照）。このような動作を繰り返すと、複数の帯封紙幣を帯封紙幣揚送部４６のステージ４６ａ上に集積させることができる。
【００９０】
アーム機構４４は、集積部４０から帯封部４２１へ、紙幣の束を前方に運搬すると共に、帯封された帯封紙幣Ｂを、帯封部４２１から第２運搬部４２３へ、前方に運搬する。第２運搬部４２３は、アーム機構４４から受け渡された帯封紙幣Ｂを、さらに前方に運搬する。このように、紙幣処理機１０では、集積した紙幣の束の移動の方向、及び、帯封した紙幣の移動の方向が共に、後方から前方に向かう方向に揃っている。このため、紙幣の移動量が最小となり、帯封処理に要する時間の短縮が図られる。また、紙幣処理機１０の小型化に有利になる。さらに、集積部４０から帯封紙幣揚送部４６に至るまでの、紙幣の移動経路が交差しないため、帯封部４２１よりも後側において、集積した紙幣の束を運搬することと、帯封部４２１よりも前側において、帯封紙幣を移動することとを同時に行うことが可能になり、紙幣処理機１０の処理をスムースに行うことができる。
【００９１】
帯封処理は、集積部４０に集積したバラ紙幣の枚数が所定枚数に達しないまま終了する場合がある。その場合、集積部４０に残された端数紙幣は、操作者が手で取り出す。帯封処理の終了時に、集積部４０に端数紙幣が残っているときには、紙幣処理機１０は、操作表示部３０２にその旨を表示すると共に、端数紙幣を取り出すための手順を、操作表示部３０２に表示する。
【００９２】
操作者は、端数紙幣を取り出す中間ユニット１９を筐体１２から前方に引き出す。これにより、図２に示すように、中間ユニット１９に含まれる二つの集積部４０、アーム機構４４、帯封ユニット４２、及び、帯封紙幣揚送部４６の一部が露出する。
【００９３】
紙幣処理機１０の制御部３００は、中間ユニット１９が引き出されることに先行して、図５及び図６の下図に示すように、アーム機構４４を待避位置に位置づける。これにより、集積部４０の前側に、作業空間１９０を形成することができる。制御部３００はまた、束ガイド４４２を上端位置に移動させる。制御部３００はさらに、集積部４０の上側扉部材４３１のロックを解除する。これにより、上側扉部材４３１は、図８に示すように、付勢部材の付勢力により半開き状態となる。この状態で、中間ユニット１９を前方に引き出すことが可能になるよう、制御部３００は、中間ユニット１９のロックを解除する。
【００９４】
操作者は、中間ユニット１９を前方に引き出した後、引き出した中間ユニット１９の右側から、集積部４０の紙幣を取り出すことになる。ここで、図８に示すように、集積部４０の取出部４０４が、前方に開口しているため、操作者は、集積部４０の取出部４０４を視認することができる。また、アーム機構４４が待避位置に位置していて、集積部４０の前側に作業空間１９０が形成されているため、操作者は、集積部４０の取出部４０４を、より一層見やすくなる。その結果、操作者は、取出し作業を行いやすくなるとともに、取り忘れにも気付きやすくなる。
【００９５】
また、中間ユニット１９を引き出す方向と、集積部４０の取出部４０４が開口する方向及び集積部４０から紙幣を取り出す方向が一致しているから、操作者は、集積部４０から、紙幣の取り出しを容易に行うことができる。
【００９６】
また、中間ユニット１９を引き出したときに、上側扉部材４３１が半開き状態であるため、操作者は、集積部４０の取出部４０４が開放されていると認識することができる。
【００９７】
また、操作者が端数紙幣を取り出すときには、上側扉部材４３１を、半開き状態よりも大きく開けることができるが、上側扉部材４３１は、左端部が枢支されていて、垂直軸回りに回動することが可能であるから、集積部４０の取出部４０４を、中間ユニット１９の右側に大きく開放することができる。操作者は、上側扉部材４３１と干渉することなく、集積部４０の取出部４０４から前方に向かって、端数紙幣を取り出すことができる。尚、下側扉部材４３２は回動可能であるため、集積部４０から端数紙幣の取り出しを邪魔しない。
【００９８】
こうして、操作者が取出部４０４を通じて集積部４０から端数紙幣を取り出す作業を行うときに、取出部４０４を目視することができることと、作業空間１９０を利用して端数紙幣を取り出すことができることとが組み合わさることにより、作業性を向上することができる。
【００９９】
尚、端数紙幣を集積部４０から取り出すときに限らず、ジャム紙幣を取り除くこと等に付随して、集積部４０から紙幣を取り出すときにも、前記と同様に、操作者は、紙幣を取り出しやすい。
【０１００】
また、前記の構成では、紙幣処理機１０が処理を行っている最中には、アーム機構４４が近接位置の辺りに位置することにより、集積部４０の前側の空間を利用して、紙幣の取り出し及び搬送を行うことができる。一方、集積部４０から端数紙幣を取り出すために中間ユニット１９を筐体１２から引き出したときには、アーム機構４４が待避位置に位置することによって、集積部４０の前側の空間を作業空間１９０として確保することができる。必要な時のみ、作業空間１９０を形成することによって、紙幣処理機１０の小型化を図ることができる。
【０１０１】
（紙幣整理機の構成）
ここに開示する技術は、前述した紙幣処理機１０に適用することに限定されない。例えば図１１及び図１２は、ここに開示する技術を、いわゆる紙幣整理機１００に適用した例を示している。紙幣整理機１００は、紙幣を識別及び計数し、種類別に分類をした上で、所定枚数毎の帯封紙幣を作成する装置である。紙幣整理機１００は、収納部を備えていない点で、紙幣処理機１０とは、構成が大きく相違する。
【０１０２】
図１１は紙幣整理機１００の外観を示している。紙幣整理機１００の筐体の前面には、集積対象外の紙幣を集積する外部スタッカ１０１、１０２と、バラ紙幣を投入するための投入部１０３、リジェクト紙幣を集積するリジェクト部１０４、及び、帯封紙幣を出金するための帯封紙幣投出部１０５がそれぞれ設けられている。
【０１０３】
投入部１０３の前面は筐体１２０の外部に開口している。操作者は投入部１０３の内部にバラ紙幣の束を投入することができる。
【０１０４】
外部スタッカ１０１、１０２と、リジェクト部１０４とは、紙幣整理機１００の筐体１２０の上部から下部に向かって順に並んでいる。外部スタッカ１０１、１０２と、リジェクト部１０４とはそれぞれ、筐体１２０の外部に開口している。操作者は、外部スタッカ１０１、１０２と、リジェクト部１０４とに集積された紙幣を取り出すことができる。
【０１０５】
帯封紙幣投出部１０５は、筐体１２０の下部に開口している。帯封紙幣投出部１０５から投出された帯封紙幣は、別途の容器等に入れられる。
【０１０６】
操作表示部１０６は、筐体１２０の上部に設けられたタッチパネル等からなる。操作表示部１０６は、紙幣整理機１００における紙幣の処理状況等の情報を表示する。また、操作者はこの操作表示部１０６を介して、様々な操作を行うことができる。
【０１０７】
図１２は、紙幣整理機１００の内部構成を概念的に示している。紙幣整理機１００は、識別部１０７、表裏反転部１０８及び搬送部１０９を備えている。これら識別部１０７、表裏反転部１０８及び搬送部１０９は、前述した紙幣処理機１０における識別部２０、表裏反転部２２及び搬送部１８と、実質的に同じ構成である。ここでは、その詳細な説明は省略する。
【０１０８】
紙幣整理機１００は、複数の集積部１４０を備えている。複数の集積部１４０は、例えば種類毎に、バラの紙幣を集積する。図例では、五つの集積部１４０が、上下方向に並んで配設されている。各集積部１４０は、装置の後方からバラ紙幣が送り込まれるよう構成されている（図１２の矢印参照）。また、集積部１４０の前部には、詳細な図示は省略するが、紙幣を取り出すための取出部が、前方に向かって開口している。集積部１４０の取出部には、扉部材１４１が取り付けられている。扉部材１４１は、取出部を開閉する。扉部材１４１は、紙幣を集積しているときには、取出部を閉じて紙幣の前端を揃える。扉部材１４１は、集積部１４０から紙幣を取り出す時には、取出部を開ける。
【０１０９】
上下方向に並んだ集積部１４０の前側には、運搬部１５０が配設されている。運搬部１５０は、紙幣を掴むアーム部１５１と、アーム部１５１を上下方向に往復移動させるガイド部１５２とを備えている。ガイド部１５２は、上下方向に伸びている。アーム部１５１は、ガイド部１５２に沿って上下方向に移動をする。アーム部１５１は、各集積部１４０の高さ位置に位置づけられ、当該集積部１４０の取出部を通じて、各集積部１４０から紙幣を前方に向かって取り出す。
【０１１０】
運搬部１５０よりも前側の下方域には、帯封部１６０が配設されている。運搬部１５０は、集積部１４０から取り出した紙幣の束を、前方に送ると共に降下して帯封部１６０まで運搬する。帯封部の構成の詳細な説明は省略するが、前述した紙幣処理機１０の帯封部４２１と同様に、紙幣の束の外周囲に帯封紙を巻き付けることによって帯封を行う。
【０１１１】
帯封部１６０の前側には、ベルト式の第２運搬部１７０が設けられている。第２運搬部１７０は、帯封紙幣を前方に向かって帯封紙幣投出部１０５まで搬送する。
【０１１２】
従って、この紙幣整理機１００は、集積部１４０から取り出された紙幣が、装置の前方に向かって運搬されて帯封部１６０に至ると共に、帯封部１６０において帯封された帯封紙幣が、装置の前方に向かって運搬されるよう構成されている。
【０１１３】
この紙幣整理機１００において、引出ユニット１９１は、前述した外部スタッカ１０１、１０２、リジェクト部１０４、投入部１０３、識別部１０７、表裏反転部１０８、搬送部１０９、集積部１４０、運搬部１５０、及び、帯封部１６０を含んでいる。図示は省略するが、この引出ユニット１９１も、筐体１２０から、前方に向かって引き出される。
【０１１４】
紙幣整理機１００において帯封処理が終了したときに端数紙幣が残ったとき、又は、エラー解除を行うとき等には、操作者が、紙幣を集積部１４０から手で取り出す。具体的に、引出ユニット１９１を前方に引き出す際に、紙幣整理機１００の制御部３０１は、運搬部１５０のアーム部１５１を最下端（最下位の集積部１４０の前方域より低い位置）にまで移動させ、それによって、集積部１４０の前側に作業空間１９２を形成する。また、扉部材１４１は、集積部１４０の取出部を開ける。
【０１１５】
これにより、操作者が、引出ユニット１９１を前方に引き出すと、集積部１４０の取出部が前方に向かって開いていると共に、集積部１４０の前側に作業空間１９２が形成されている。
【０１１６】
この紙幣整理機１００においても、集積部１４０の取出部が、集積部１４０の前部において前方に向かって開口しているから、操作者は、取出部を目視することができる。また、操作者は、作業空間１９２を利用して、集積部１４０から取出部を通じて紙幣を取り出すことができる。従って、この紙幣整理機１００においても、前記の紙幣処理機１０と同様に、集積部１４０から紙幣を取り出す作業の作業性が向上する。
【０１１７】
尚、ここに開示する技術は、紙幣の処理を行う装置に限らず、小切手や商品券等の有価媒体を含む紙葉類を処理する装置に、広く適用することが可能である。
【符号の説明】
【０１１８】
１０  紙幣処理機（紙葉類処理装置）
１２  筐体
１９  中間ユニット（引出ユニット）
１００  紙幣整理機（紙葉類処理装置）
１２０  筐体
１４０  集積部
１４１  扉部材
１５０  運搬部
１６０  帯封部（結束部）
１７０  第２運搬部
１９０  作業空間
１９１  引出ユニット
１９２  作業空間
４０  集積部
４３  扉部材
４４  アーム機構（運搬部）
４０４  取出部
４２１  帯封部（結束部）
４２３  第２運搬部
４３１  上側扉部材
４３２  下側扉部材
４３１１  ロック機構
【図１】
2018124802.tif 000003
【図２】
2018124802.tif 000004
【図３】
2018124802.tif 000005
【図４】
2018124802.tif 000006
【図５】
2018124802.tif 000007
【図６】
2018124802.tif 000008
【図７】
2018124802.tif 000009
【図８】
2018124802.tif 000010
【図９】
2018124802.tif 000011
【図１０】
2018124802.tif 000012
【図１１】
2018124802.tif 000013
【図１２】
2018124802.tif 000014